(57)【要約】【課題】  加温状態で使用するために内方に深く没入した円形ドームが底部に形成されており、多角形状に起因する底部の着地部に狭幅部分が存在しても、成形時及び消費時にヒケなどの変形が発生せず、しかも加工も容易な樹脂製包装容器を提供する。【解決手段】  容器２の底部３が少なくとも多角形状をなし、この底部３は内方に没入した円形ドーム４と、この円形ドーム４周辺の着地部５とからなり、この着地部５における狭幅部分６とこれに隣接した円形ドーム４との間に膨出部７を設けることで、この膨出部７に成形時に樹脂が入る幅が広がり、着地部５の狭幅部分６に樹脂が必要量入り込むため薄肉とならず、成形時ならびに使用時にヒケなどの変形が発生せず、上記課題が解決出来る。【選択図】      図２
2006182406.tif 000002
【特許請求の範囲】
【請求項１】
容器の底部が少なくとも多角形状をなし、該底部は内方に没入した円形ドームと該円形
ドーム周辺の着地部とからなり、該着地部に生じた狭幅部分とこれに隣接した前記円形ド
ームとの間に膨出部を設けてなることを特徴とする樹脂製包装容器。
【請求項２】
前記膨出部は前記着地部との間に段差を有している請求項１記載の樹脂製包装容器。
【発明の詳細な説明】
【技術分野】
【０００１】
本発明は、加温状態の内容物を収容する、あるいは収容した内容物を加温状態にするの
に適した樹脂製容器に関するものであって、加温状態で使用しても、内方に深く没入した
円形ドームが底部にあり、多角形状に起因する底部の着地部に狭幅部分が存在していても
、狭幅部分に樹脂が充分入り込むことにより、成形時にヒケなどの変形が発生せず、加工
も容易な樹脂製包装容器に関する。
【背景技術】
【０００２】
樹脂製包装容器（以下、単に「容器」ということがある）は、その内容物の漏れや菌類
や異物の侵入を防ぎ、内容物の変質を防止するための構成が求められ、通常プリフォーム
を２軸延伸ブロー成形して得られる。この容器は、収容する内容物の種類やその内容物の
温度により、その形状、材質が適宜決められる。例えば、お茶やコーヒーなどは容器に充
填する時、または消費する前後のいずれも加温状態である場合が多いが、保管時は通常室
温である。したがって、このような使われ方をする容器は、内部圧力の変化により変形し
ないことが望まれ、あるいは変形しても目立たないような変形の仕方であったり、少なく
とも容器としての価値が失われない程度の変形に留めおくことが必要である。
【０００３】
お茶やコーヒーなどの加温状態で使用する、多角形状の容器ａは、一般的に図４、５に
示すように、その底部ｂが内方に没入した円形ドームｃと、この円形ドームｃ周辺の着地
部ｄとからなる。この樹脂製容器ａ内のお茶やコーヒーなどを加温したり、加温状態を保
持していても、底部ｂが凸変形（バックリング）などしないようにさせるためには、図６
に示すように、円形ドームｃをできるだけ内方に深く没入させたものが用いられている。
【０００４】
【特許文献１】実公昭６２−２９３７８号公報
【特許文献２】特許第２６９３１５３号公報
【特許文献３】特開２０００−７９９２７号公報
【特許文献４】特開平９−２０３２３号公報
【特許文献５】特開平１１−５９６４６号公報
【特許文献６】特開平１１−３２１１８３９号公報
【０００５】
特許文献１に記載されたものは、図７に示すように、容器ａ１の底部ｂが円形ドームｃ
と着地部ｄとからなり、この円形ドームｃが底頂壁ｅの周端から筒壁ｆが連なり、これら
頂壁ｅ及び筒壁ｆに複数の補強リブ壁ｇを設けてなるものである。
【０００６】
また、特許文献２に記載されたものは、図８に示すように、容器ａ２の底部ｂが円形ド
ームｃと着地部ｄとからなり、この円形ドームｃに複数の補強リブ壁ｇを設け、更に、着
地部ｄをなるべく円形状となるようにして、２軸延伸ブロー成型の際、着地部ｄに樹脂が
均一延伸するようにしてなるものである。
【０００７】
さらに、特許文献３に記載されたものは、図９に示すように、容器ａ３の底部ｂが円形
ドームｃと着地部ｄとからなり、着地部ｄは複数の足部ｈとそれらの間の底面ｉとからな
り、円形ドームｃは底面ｉから連なる変形吸収板ｊを有する変形吸収凹陥部ｋと、足部ｈ
から連なる補強リブ壁ｇとからなるものである。
特許文献４ないし６は、本出願人の出願にかかるボトルを開示している。
【発明の開示】
【発明が解決しようとする課題】
【０００８】
図４、５に示す容器ａは、充填しているお茶やコーヒーなどを加温したり、加温状態を
保持していても、底部ｂがバックリングしないようにするために、円形ドームｃが内方に
深く没入したものとなり、更に、４角形状であるため、着地部ｄに４つの狭幅部分Ｌが生
じている。この狭幅部分Ｌがあると、プリフォームを２軸延伸ブロー成形して容器ａとす
る際、樹脂が入りづらくなり、着地部ｄの狭幅部分Ｌが必然的に薄肉となる。したがって
、２軸延伸ブロー成形後に、この狭幅部分Ｌに「ヒケ」と呼ばれる内方への変形が発生し
てしまう。また、２軸延伸ブロー成形後にこのヒケが発生しなくても、この容器ａに高温
のお茶やコーヒーなどを充填したあと、これらが冷えて容器ａ内が減圧状態になると、樹
脂量の少ない部分、すなわち、強度の弱い狭幅部分Ｌに結局ヒケが発生する。この容器ａ
にヒケが生じると、自立出来なかったり見栄えが悪くなったりして、容器としての商品価
値が著しく低下してしまう虞がある。加えて、プレートヒーター上に容器ａを置き、中に
充填してあるお茶やコーヒーなどを直接加温する場合もあり、着地部ｄの肉厚のバラツキ
によって、変形が促進される虞もある。
【０００９】
特許文献１の容器ａ１は、多角形状であり着地部ｄに狭幅部分Ｌがあるため、図４、５
の容器ａと同様に樹脂が入りづらく薄肉となり、ヒケが発生する虞がある。
特許文献２の樹脂製容器ａ２は、多角形状であるが着地部ｄがほぼ円形をなしているか
ら、狭幅部分Ｌがない。したがって、樹脂が均一に充分に入り薄肉部分が出来ず、ヒケは
発生しないが、この場合は、容器ａ２の胴部ｍが多角筒形状なのに、底部ｂの着地部ｄを
ほぼ円形にするため、２軸延伸ブロー成形がしにくいという問題がある。
【００１０】
本出願人による特許文献４ないし６の容器は、特許文献４の一部を除き、いずれも多角
形状であり着地部に狭幅部分があるため、狭幅部分に樹脂が入りづらく薄肉となり、ヒケ
などの変形が発生する虞がある。
【００１１】
そこで、本発明の目的は、加温状態で使用するために内方に深く没入した円形ドームが
底部にあり、多角形状のため底部の着地部に狭幅部分が存在していても、成型時にヒケな
どの変形が発生せず、しかも加工も容易な樹脂製包装容器を提供することにある。
【課題を解決するための手段】
【００１２】
本発明は、上記目的を達成するために提案されたものであって、下記の構成からなるこ
とを特徴とするものである。
すなわち、本発明によれば、容器の底部が多角形状をなし、該底部は内方に没入した円
形ドームと該円形ドーム周辺の着地部とからなり、該着地部に生じた狭幅部分とこれに隣
接した前記円形ドームとの間に膨出部を設けてなることを特徴とする樹脂製包装容器が提
供される。
【００１３】
また、本発明によれば、前記膨出部は前記着地部との間に段差を有している上記樹脂製
包装容器が提供される。
【発明の効果】
【００１４】
本発明によれば、容器底部の膨出部により樹脂が行き渡る幅が広がり、着地部の狭幅部
分に樹脂が必要量入り込むため薄肉とならない。したがって、加温状態で使用するために
内方に深く没入した円形ドームが底部にあり、多角形状のため底部の着地部に狭幅部分が
存在していても、狭幅部分に樹脂が充分入り込むため、成形時にヒケなどの変形が発生せ
ず、しかも膨出部を設けるという容器形状のわずかな変更であるから、加工も容易となる
効果がある。
【００１５】
また、前記膨出部が前記着地部との間に段差を有していることにより、円形ドームに残
留すべき樹脂量が必要以上に着地部に入り込むのを防ぐことができるため、上記効果に加
えて、円形ドーム及び着地部双方に適切な量の樹脂が入り込み、温度変化による変形が減
少する効果がある。
【発明を実施するための最良の形態】
【００１６】
以下に、図面を参照して本発明を実施するための最良の形態を説明する。
【実施例】
【００１７】
図１は本発明を示す樹脂製包装容器の正面図、図２はその裏面図、図３は図１のＡ印の
拡大図である。図において、容器１は、容器２の底部３が多角形状をなし、この底部３は
内方に没入した円形ドーム４と、この円形ドーム４周辺の着地部５とからなり、この着地
部５に生じた狭幅部分６とこれに隣接した円形ドーム４との間に膨出部７を設けてなるも
のである。
【００１８】
前記容器２は、形状・材質ともに特に限定がないが、容器２の内容物がお茶やコーヒー
などの比較的高い温度で使用するものであるから、その特性上、ポリエチレンテレフタレ
ートなどが好ましく用いられる。形状は通常ボトルタイプであり、２軸延伸ブロー成形に
よって成形される。この実施例では、容器２は４角筒形状のペットボトル１０であり、口
部１１、肩部１２、胴部１３及び底部３からなり、口部１１には鍔１４が形成されており
、その上部にネジ１５が形成され、二点鎖線で示す上蓋１６が螺着される。そして、この
ペットボトル１０の肩部１２から胴部１３を経て底部３までの角は、面仕上げとなって変
形の八角筒形状のペットボトル１０となっている。更に、このペットボトル１０の胴部１
３には上部補強ビード１７及び下部補強ビード１８が設けられ、これらの上部及び下部補
強ビード１７及び１８の間の胴部１３に面補強溝１９が設けられている。
【００１９】
このペットボトル１０の多角形状の底部３は、前記円形ドーム４が中心部に位置し、そ
れを囲うように前記着地部５があり、更に、この着地部５と円形ドーム４との間にテーパ
ー部２０が介在している。この円形ドーム４は、既述のように、ペットボトル１０内のお
茶やコーヒーなどを加温したり、加温状態を保持していても、底部３がバックリングした
り他の変形をしないように、円形ドーム４が内方に深く没入し、且つ円形ドーム４に補強
リブ２１がもうけられ更に厚肉となっている。また、着地部５は、ペットボトル１０が変
型の八角筒形状であり且つ円形ドーム４が円形であるから、前記狭幅部分６と広幅部分６
ａとが生じている。着地部５に狭幅部分６と広幅部分６ａとがあると、この容器１をプリ
フォームから２軸延伸ブロー成形する際、狭幅部分６に樹脂が入りづらくなり、その部分
が薄肉となる。
【００２０】
したがって、着地部５と円形ドーム４との間に介在しているテーパー部２０に前記膨出
部７を設け、樹脂の通り間口を広げて着地部５の狭幅部分６に樹脂を入り易くして、狭幅
部分６に薄肉の部分が生じないようにしている。すなわち、本発明においては、容器１の
形状を若干改善するだけで、薄肉部分の発生を防ぎ、それに伴う種々の変形を防止してい
るのである。更に、この膨出部７の幅寸法はボトルの大きさにより異なるが、要するに、
着地部５に樹脂が入り込む量を適切に制御出来、適切な樹脂量が着地部５の狭幅部分６に
に入り込むようなものであれば良い。
【００２１】
そして、この膨出部７と着地部５とは段差２２があるようにして、この段差２２により
着地部５の狭幅部分６に樹脂が入り込む量を制御出来るから、前記円形ドーム４に残留す
べき樹脂量が必要以上に着地部５に入り込むのを防ぐことが出来る。したがって、これら
円形ドーム４及び着地部５に適切な量の樹脂が入り込み、温度変化による底部３の変形が
ほとんど生じないことになる。
【００２２】
以上、本発明の実施例を説明したが、具体的な構成はこれに限定されず、本発明の要旨
を逸脱しない範囲での変更は適宜なし得るものと理解すべきである。
【産業上の利用可能性】
【００２３】
本発明の樹脂製包装容器は、保管や輸送効率が高く、更に持ち易い多角筒形状であり、
内容物がお茶やコーヒーなど製造工程で高温のまま充填されてキャッピングがなされ、保
管や輸送により冷えて常温になり、更に消費の前後に再びプレートヒーターなどの加温器
により加温されるような場合に利用可能性が極めて高い。
【図面の簡単な説明】
【００２４】
【図１】本発明の樹脂製包装容器の正面図である。
【図２】図１の裏面図である。
【図３】図１の○印の拡大図である。
【図４】従来例の裏面図である。
【図５】従来例の底部の側面図である。
【図６】従来例の底部の変形状況の側面図である。
【図７】従来例の裏面図である。
【図８】他の従来例の裏面図である。
【図９】他の従来例の裏面図である。
【符号の説明】
【００２５】
１，ａ，ａ１，ａ２，ａ３    樹脂製包装容器
２                          容器
３，ｂ                      底部
４，ｃ                      円形ドーム
５，ｄ                      着地部
６，Ｌ                      狭幅部分
６ａ                        広幅部分
７                          膨出部
１０                        ペットボトル
１１                        口部
１２                        肩部
１３，ｍ                    胴部
１４                        鍔
１５                        ネジ
１６                        上蓋
１７                        下部補強ビード
１８                        上部補強ビード
１９                        面補強溝
２０                        テーパー部
２１                        補強リブ
２２                        段差
ｅ                          底頂壁
ｆ                          筒壁
ｇ                          補強リブ壁
ｈ                          足部
ｉ                          底面
ｊ                          変形吸収板
ｋ                          変形吸収凹陥部
【図１】
2006182406.tif 000003
【図２】
2006182406.tif 000004
【図３】
2006182406.tif 000005
【図４】
2006182406.tif 000006
【図５】
2006182406.tif 000007
【図６】
2006182406.tif 000008
【図７】
2006182406.tif 000009
【図８】
2006182406.tif 000010
【図９】
2006182406.tif 000011